【手続補正書】
【提出日】平成27年6月18日(2015.6.18)
【手続補正１】
【補正対象書類名】特許請求の範囲
【補正対象項目名】全文
【補正方法】変更
【補正の内容】
【特許請求の範囲】
【請求項１】
システムであって、マシン可読記憶デバイスに格納される実行可能命令を通じて少なくとも部分的に具体化されるプレゼンテーション管理システムを備え、該プレゼンテーション管理システムが、
前記マシン可読記憶デバイスに格納される前記実行可能命令の少なくとも一部を実行するように構成される少なくとも１つのデバイス・プロセッサーと、
ユーザーに関連する現在の地理的ロカールを判定するロカール判定コンポーネントと、
ユーザーに関連する現在の地理的位置および移動方向との関連付けについてユーザーのオーディオ体験を寄稿するために、前記ユーザーの要求を受け取るクラウド・ソース・データ・コンポーネントと、
前記現在の地理的ロカールに関連する１組の集計データを得る集計コンポーネントと、
前記現在の地理的ロカールに関連する地理的エリア内にあるエンティティに関連する集計データの関連性を示す近接度情報に基づいて、１組のプレゼンテーション・データを得るために、前記１組の集計データを動的に抜粋する抜粋コンポーネントと、
前記１組のプレゼンテーション・データ、前記ユーザーに関連する１つ以上の属性、および前記ユーザーに関連し動的に変化する地理的位置に基づいて、１組の個人用設定データを生成する個人用設定コンポーネントと、
前記１組の個人用設定データに基づいて、個人用設定オーディオ・データのストリームの前記ユーザーに関連する受信デバイスへの送信を、デバイス・プロセッサーによって開始するストリーミング・オーディオ・コンポーネントと
を備える、システム。
【請求項２】
請求項１記載のシステムであって、
前記クラウド・ソース・データ・コンポーネントが、前記現在の地理的ロカールに関連するクラウド・ソース・データを得て、前記クラウド・ソース・データが、人から受けたコメント、人から受けた説明、人から受信したオーディオ・ファイル、電子ソースから得た説明、電子ソースから得たオーディオ・ファイル、または電子ソースから得た属性値の内１つ以上を含む情報に基づき、
前記集計コンポーネントが、前記クラウド・ソース・データに少なくとも部分的に基づいて、前記現在の地理的ロカールに関連する１組の集計データを得る、システム。
【請求項３】
請求項１記載のシステムであって、更に、
前記ユーザーに関連する構成的方位を示す１つ以上の方位属性を得る方位判定コンポーネントを備え、
前記集計コンポーネントが、前記１つ以上の方位属性に少なくとも部分的に基づいて、および更に格納されているオーディオ・クリップに基づいて、あるいは公開されている記述、レビュー、ソーシャル・ネットワーク・サイト、または画像に関連するコメント・タグの内１つ以上に基づく自動合成によって、前記現在の地理的ロカールに関連する前記１組の集計データを得る、システム。
【請求項４】
請求項１記載のシステムにおいて、
抜粋コンポーネントが、前記現在の地理的ロカールに関連する前記地理的エリア内にあるエンティティに関連する前記集計データの関連性を示す前記近接度情報に基づいて、前記近接度情報に関連する関連性インディケーターの履歴に基づいて、前記１組のプレゼンテーション・データを得るために、前記１組の集計データを動的に抜粋する、システム。
【請求項５】
請求項１記載のシステムにおいて、
前記個人用設定コンポーネントが、前記１組のプレゼンテーション・データ、前記ユーザーに関連する前記１つ以上の属性、および前記ユーザーに関連し動的に変化する地理的位置に基づく移動の方向に基づいて、前記１組の個人用設定データを生成する、システム。
【請求項６】
請求項１記載のシステムにおいて、
前記個人用設定コンポーネントが、前記１組のプレゼンテーション・データと、前記ユーザーに関連する前記１つ以上の属性と、トークンの繰り返し、トークンの順序、単語の選択、またはトークンのコンテキストに関連する単語の判定の内１つ以上とに基づいて、前記１組の集計データに関連する順位付け機能に基づいて、前記１組の個人用設定データを生成し、
前記トークンが前記集計データのエレメントを表し、
前記単語が、前記集計データと記述的に関連付けられている、システム。
【請求項７】
請求項１記載のシステムにおいて、
前記個人用設定コンポーネントが、前記１組のプレゼンテーション・データと、前記ユーザーに関連するソーシャル・ネットワーク、前記ユーザーに関連するコンテキスト・ネットワーク、前記１組の集計データの部分に関連する１つ以上のエンティティに関連するソーシャル・ネットワーク、または前記１組の集計データの部分に関連する１つ以上のエンティティに関連するコンテキスト・ネットワークの内１つ以上とに基づいて、前記１組の個人用設定データを生成することができる、システム。
【請求項８】
請求項１記載のシステムにおいて、
前記ストリーミング・オーディオ・コンポーネントが、送信のバイノーラル・フォーマットに基づいて、前記１組の個人用設定データと前記ユーザーに関連する前記動的に変化する地理的位置とに基づいて、前記個人用設定オーディオ・データのストリームの、前記ユーザーに関連する前記受信デバイスへの送信を開始する、システム。
【請求項９】
請求項１記載のシステムにおいて、
前記ストリーミング・オーディオ・コンポーネントが、個人用設定オーディオ・データのストリームの第１エンティティ部分の音量の動的変動を含む送信フォーマットに基づいて、前記ユーザーに関連し前記動的に変化する地理的位置に対して地理的に近い前記第１エンティティの位置に基づいて、前記１組の個人用設定データに基づいて、前記個人用設定オーディオ・データのストリームの、前記ユーザーに関連する前記受信デバイスへの送信を開始する、システム。
【請求項１０】
請求項９記載のシステムにおいて、
前記個人用設定オーディオ・データのストリームの前記第１エンティティ部分の音量の前記動的変動が、前記音量のリスナー認識に基づく変動、前記ユーザーに関連し前記動的に変化する地理的位置に対して地理的に近い前記第１エンティティの位置に基づく変動、前記１組の個人用設定データに基づく変動を含む、システム。
【請求項１１】
請求項１記載のシステムにおいて、
前記ストリーミング・オーディオ・コンポーネントが、個人用設定オーディオ・データのストリームの第２エンティティ部分の方向サウンド属性の動的変動を含む送信フォーマットに基づいて、前記ユーザーに関連し前記動的に変化する地理的位置に地理的および方向的に関係する前記第２エンティティの位置に基づいて、前記１組の個人用設定データに基づいて、前記個人用設定オーディオ・データのストリームの、前記ユーザーに関連する前記受信デバイスへの送信を開始する、システム。
【請求項１２】
請求項１１記載のシステムにおいて、
前記個人用設定オーディオ・データのストリームの前記第２エンティティ部分の方向サウンド属性の前記動的変動が、前記ユーザーに関連し前記動的に変化する地理的位置に地理的および方向的に関係する前記第２エンティティから発するサウンドのリスナー認識に基づく変動を含む、システム。
【請求項１３】
請求項１記載のシステムにおいて、
前記集計コンポーネントが、前記現在の地理的ロカールに関連する前記１組の集計データを得て、前記１組の集計データの少なくとも一部が、オーディオ・データ・フォーマット以外のフォーマットの集計データを含み、
前記抜粋コンポーネントが、オーディオ・データ・フォーマット以外のフォーマットから、オーディオ・データ・フォーマットに向けて、前記１組の集計データの少なくとも一部を動的に抜粋し、
前記ロカール判定コンポーネントが、前記ユーザーの現在の物理的位置に関連するロカール情報以外の、前記ユーザーから受信したロカール情報に基づいて、前記ユーザーに関連する前記現在の地理的ロカールを判定し、
前記個人用設定コンポーネントが、前記１組のプレゼンテーション・データと、前記ユーザーに関連する１つ以上の属性と、前記現在の地理的ロカールを通過する前記ユーザーの仮想移動に基づいて前記ユーザーから受け取ったロカール情報に関連し動的に変化する地理的位置、または前記現在の地理的ロカールを通過する前記ユーザーの実際の移動に関連し動的に変化する地理的位置の内１つ以上とに基づいて、前記１組の個人用設定データを生成する、システム。
【請求項１４】
方法であって、
地理的エリアに関連する集計データを得るステップと、
前記地理的エリアに関連し動的に変化する地理的位置に基づいて、１組のプレゼンテーション・データを得るために、前記集計データを動的に抜粋するステップと、
前記動的に変化する地理的位置に関連するユーザーに関連する受信デバイスへの、前記１組のプレゼンテーション・データに基づく個人用設定オーディオ・データのストリームの送信を、デバイス・プロセッサーによって開始するステップであって、前記個人用設定データのバイノーラル・フォーマットを用い、該バイノーラル・フォーマットが、前記ユーザーに対して種々の方向から発するサウンド、または前記ユーザーに対して種々の位置から発するサウンドの認識を前記ユーザーに与えるように構成される、ステップと、
ユーザーのオーディオ体験を１人以上の他のリスナーと共有する要求を受けるステップと、
前記ユーザーのオーディオ体験を前記１人以上の他のリスナーと前記共有する要求の送信を開始するステップと
を含む、方法。
【請求項１５】
請求項１４記載の方法において、
前記集計データが、前記動的に変化する地理的位置に関連する地理的ロカールに関連しているクラウド・ソース・データに少なくとも部分的に基づき、該クラウド・ソース・データが、人から受けたコメント、人から受けた説明、人から受信したオーディオ・ファイル、電子ソースから得た説明、電子ソースから得たオーディオ・ファイル、または電子ソースから得た属性値の内１つ以上に基づいて得られる情報に基づく、方法。
【請求項１６】
請求項１４記載の方法において、前記１組の集計データを動的に抜粋するステップが、前記地理的エリア内にあるエンティティに関連する前記集計データの関連性を示す近接度情報に基づいて、前記１組のプレゼンテーション・データを得るために、前記１組の集計データを動的に抜粋するステップを含む、方法。
【請求項１７】
マシン読み取り可能記憶デバイス上に実体的に具体化され、実行可能コードを含むコンピューター・プログラムであって、前記実行可能コードが、少なくとも１つのデータ処理装置に、
デバイス・プロセッサーによって、受信デバイスに関連するユーザーに関連する１組の個人用設定データに基づく個人用設定オーディオ・データと、地理的エリアに関連する集計データとのストリーミング送信を求めるユーザー要求を受けさせ、
少なくとも１つのデバイス識別と、前記ユーザーに関連するユーザー識別と、前記ユーザーに関連し動的に変化する位置の指示と、前記ストリーミング送信を求めるユーザー要求を示す要求情報とを含むデバイス要求を送らせ、
前記ユーザーに関連する前記動的に変化する位置に関連する地理的ロカールに関連し、動的に抜粋された集計データに基づく１組のプレゼンテーション・データを含む前記個人用設定オーディオ・データのストリーミング送信の出力を開始させ、
前記ユーザーに関連する現在の地理的位置および移動方向と関連付けて、ユーザーのオーディオ体験の送信を開始させる
ように構成されている、コンピューター・プログラム。
【請求項１８】
請求項１７記載のコンピューター・プログラムにおいて、前記実行コードが、前記少なくとも１つのデータ処理装置に、
ストリーミング送信についてバイノーラル・フォーマットに基づいて前記個人用設定オーディオ・データの前記ストリーミング送信の出力を開始させるように構成されている、コンピューター・プログラム。
【請求項１９】
請求項１７記載のコンピューター・プログラムにおいて、前記実行コードが、前記少なくとも１つのデータ処理装置に、
ユーザーのオーディオ体験を１人以上の他のリスナーと共有するために、ユーザー要求を受けさせ、
前記ユーザーのオーディオ体験を前記１人以上の他のリスナーと共有するために、前記ユーザー要求の送信を開始させる
ように構成されている、コンピューター・プログラム。
【請求項２０】
請求項１７記載のコンピューター・プログラムにおいて、前記実行コードが、前記少なくとも１つのデータ処理装置に、
前記ユーザーに関連する現在の地理的位置および移動方向と関連付けて、ユーザーのオーディオ体験を寄稿するために、ユーザー要求を受けさせ、
前記ユーザーに関連する現在の地理的位置および移動方向と関連付けて、前記ユーザーのオーディオ体験を寄稿するために、前記ユーザー要求の送信を開始させる
ように構成されている、コンピューター・プログラム。